(57)【要約】【課題】装着部材の位置を調整可能な頭部装着型画像表示装置を提供すること。【解決手段】画像を形成する画像光を出射して当該画像を表示する表示部と、表示部を支持するフレームと、を備え、フレームは、第１装着部材が装着可能な装着部を有し、装着部は、表示部による画像光の出射方向、及び、当該出射方向とは反対方向のいずれかの方向である第１方向に沿って第１装着部材の第１挿入部が挿入される第１挿入口と、フレームに固定される固定部材と、固定部材との間に第１挿入部を挿入可能な隙間を形成し、第１挿入口に挿入された第１挿入部を固定部材と挟持する挟持部材と、を有する頭部装着型画像表示装置。【選択図】図２０
2017147522.tif 000002
【特許請求の範囲】
【請求項１】
画像を形成する画像光を出射して前記画像を表示する表示部と、
前記表示部を支持するフレームと、を備え、
前記フレームは、第１装着部材が装着可能な装着部を有し、
前記装着部は、
前記表示部による前記画像光の出射方向、及び、前記出射方向とは反対方向のいずれかの方向である第１方向に沿って前記第１装着部材の第１挿入部が挿入される第１挿入口と、
前記フレームに固定される固定部材と、
前記固定部材との間に前記第１挿入部を挿入可能な隙間を形成し、前記第１挿入口に挿入された前記第１挿入部を前記固定部材と挟持する挟持部材と、を有することを特徴とする頭部装着型画像表示装置。
【請求項２】
請求項１に記載の頭部装着型画像表示装置において、
前記挟持部材は、前記第１方向に沿って配列された複数の凹部を有し、
前記第１挿入部は、前記複数の凹部のうち少なくともいずれかの内部に配置され、前記第１挿入部の前記第１挿入口からの抜けを規制する規制部を有することを特徴とする頭部装着型画像表示装置。
【請求項３】
請求項１又は請求項２に記載の頭部装着型画像表示装置において、
前記装着部は、前記固定部材及び前記挟持部材を覆うカバー部材を有することを特徴とする頭部装着型画像表示装置。
【請求項４】
請求項３に記載の頭部装着型画像表示装置において、
前記カバー部材は、
前記第１挿入口を形成するカバー本体と、
前記カバー本体に対してスライド可能に設けられるスライド部材と、を有し、
前記スライド部材は、前記表示部に対して、前記第１挿入部の前記第１挿入口への挿入側とは反対側に配置される第２装着部材における第２挿入部が挿入可能な第２挿入口を開閉することを特徴とする頭部装着型画像表示装置。
【請求項５】
請求項４に記載の頭部装着型画像表示装置において、
前記第２挿入口は、前記第１方向とは異なる方向に沿って前記第２挿入部が挿入可能に形成されていることを特徴とする頭部装着型画像表示装置。
【請求項６】
請求項５に記載の頭部装着型画像表示装置において、
前記第１方向は、前記表示部による前記画像光の出射方向とは反対方向であり、
前記第１挿入口は、前記装着部において前記第１方向とは反対方向側に位置し、
前記第２挿入口は、前記装着部において前記第１方向側に位置することを特徴とする頭部装着型画像表示装置。
【請求項７】
請求項４から請求項６のいずれか一項に記載の頭部装着型画像表示装置において、
前記表示部は、ユーザーの眼に応じて配置され、前記画像を前記ユーザーの眼に導くとともに、外光を透過する導光部材を含み、
前記第２装着部材は、前記導光部材に入射される前記外光の少なくとも一部を遮蔽する遮蔽部材であることを特徴とする頭部装着型画像表示装置。
【請求項８】
画像を形成する画像光を出射して前記画像を表示する表示部と、
前記表示部を支持するフレームと、を備え、
前記フレームは、前記表示部に対して前記表示部による前記画像光の出射方向側に位置する第１装着部材と、前記表示部に対して前記第１装着部材の配置側とは反対側に配置される第２装着部材とが装着可能な装着部を有し、
前記装着部は、
前記出射方向、及び、前記出射方向とは反対方向のいずれかの方向である第１方向に沿って前記第１装着部材の第１挿入部が挿入される第１挿入口と、
前記第１方向に交差する第２方向に沿って前記第２装着部材の第２挿入部が挿入される第２挿入口と、を有することを特徴とする頭部装着型画像表示装置。
【請求項９】
請求項８に記載の頭部装着型画像表示装置において、
前記第１方向は、前記出射方向とは反対方向であり、
前記第１挿入口は、前記装着部において前記出射方向側の部位に位置し、
前記第２挿入口は、前記装着部において前記出射方向側とは反対側の部位に位置することを特徴とする頭部装着型画像表示装置。
【請求項１０】
請求項９に記載の頭部装着型画像表示装置において、
前記第１挿入口は、前記装着部において前記出射方向側に開口し、
前記第２挿入口は、前記装着部において当該頭部装着型画像表示装置をユーザーが装着した際に下方に開口することを特徴とする頭部装着型画像表示装置。
【発明の詳細な説明】
【技術分野】
【０００１】
本発明は、頭部装着型画像表示装置に関する。
【背景技術】
【０００２】
従来、画像を表示する画像表示装置として、ユーザーの頭部に装着されるヘッドマウントディスプレイが知られている（例えば、特許文献１参照）。
この特許文献１に記載のヘッドマウントディスプレイは、表示部、フレーム部及びテンプル部を有する本体と、当該本体に取り付けられるノーズパッドと、を備える。
これらのうち、表示部は、ユーザーの左右の眼前にそれぞれ配置される左眼用表示板及び右眼用表示板と、フレーム部の左側縁部に固定されて左眼用表示板に左眼用画像を投影する左眼用光学ユニットと、当該フレーム部の右側縁部に固定されて右眼用表示板に右眼用画像を投影する右眼用光学ユニットと、を備える。
また、ノーズパッドは、ユーザーの鼻側からフレーム部に装着される他、当該フレーム部から取り外すことができ、ユーザーの鼻の大きさや形によって複数種類から選択して取り付けることが可能となっている。
【０００３】
なお、上記特許文献１に記載のヘッドマウントディスプレイは、視力矯正レンズにより構成される２つのレンズ部が表示部の正面側に配置される補正眼鏡を取り付けることが可能である。この補正眼鏡は、当該２つのレンズ部の他、これら２つのレンズ部を連結するブリッジ部と、懸架部と、を有する。そして、懸架部は、本体を跨ぐ屈曲部を有し、当該屈曲部の端部は、上記ノーズパッドを保持する保持機構が有する保持片と、ノーズパッドの装着部との間に保持される。これにより、当該補正眼鏡をヘッドマウントディスプレイに取り付けることができる。
【先行技術文献】
【特許文献】
【０００４】
【特許文献１】国際公開第２０１５／０７９６１０号
【発明の概要】
【発明が解決しようとする課題】
【０００５】
ところで、ノーズパッドが当接する鼻の形状は、ユーザーによって異なるが、当該鼻の高さもユーザーによって異なる。このような鼻の高さに応じてノーズパッドを準備することはユーザーの負担となるだけでなく、ノーズパッドを製造及び販売するメーカーにとっても負担となる。このため、ユーザーの鼻の高さに応じてノーズパッドの配置を調整可能な構成が要望されてきた。
また、上記特許文献１に記載のヘッドマウントディスプレイでは、補正眼鏡は、保持機構とノーズパッドとの間に保持される。このことから、補正眼鏡を使用しない場合には、ノーズパッドを取り外した上で、当該補正眼鏡を取り外す必要があるという問題がある。このような問題は、ヘッドマウントディスプレイの使用環境や用途に応じて用いられ、表示部の正面側に配置されて当該表示部に入射される外光の透過率を低減させる装着部材が利用される場合も同様である。
【０００６】
本発明は、上記課題の少なくとも一部を解決することを目的としたものであり、装着部材の位置を調整可能な頭部装着型画像表示装置を提供することを目的の１つとする。また、本発明は、複数の部材を装着しやすくすることができる頭部装着型画像表示装置を提供することを目的の１つとする。
【課題を解決するための手段】
【０００７】
本発明の第１態様に係る頭部装着型画像表示装置は、画像を形成する画像光を出射して前記画像を表示する表示部と、前記表示部を支持するフレームと、を備え、前記フレームは、第１装着部材が装着可能な装着部を有し、前記装着部は、前記表示部による前記画像光の出射方向、及び、前記出射方向とは反対方向のいずれかの方向である第１方向に沿って前記第１装着部材の第１挿入部が挿入される第１挿入口と、前記フレームに固定される固定部材と、前記固定部材との間に前記第１挿入部を挿入可能な隙間を形成し、前記第１挿入口に挿入された前記第１挿入部を前記固定部材と挟持する挟持部材と、を有することを特徴とする。
【０００８】
なお、第１装着部材としては、ユーザーの鼻に当接されて当該鼻を挟持するノーズパッドや、視力矯正用のレンズを保持するレンズホルダーを例示できる。
上記第１態様によれば、上記第１方向に沿って第１挿入口に挿入された第１装着部材の第１挿入部は、上記固定部材及び挟持部材によって挟持される。これによれば、上記第１方向、すなわち、上記頭部装着型画像表示装置を装着したユーザーによる上記画像の観察方向（ユーザーによる画像の視方向）における挿入部の位置、ひいては、第１装着部材の位置を維持できる。従って、第１装着部材の第１挿入口への挿入量を調整することにより、上記前後方向における第１装着部材の位置を調整できる。
【０００９】
上記第１態様では、前記挟持部材は、前記第１方向に沿って配列された複数の凹部を有し、前記第１挿入部は、前記複数の凹部のうち少なくともいずれかの内部に配置され、前記第１挿入部の前記第１挿入口からの抜けを規制する規制部を有することが好ましい。
このような構成によれば、規制部が凹部内に配置されることにより、第１挿入口からの第１挿入部の抜けを抑制でき、ひいては、フレームの装着部からの第１装着部材の脱落を抑制できる。
また、規制部が配置される複数の凹部が第１方向に沿って配列されていることにより、当該規制部の位置、ひいては、第１装着部材の上記第１方向における位置を段階的に調整できる。従って、第１装着部材の位置調整を容易に実施できる。
【００１０】
上記第１態様では、前記装着部は、前記固定部材及び前記挟持部材を覆うカバー部材を有することが好ましい。
このような構成によれば、上記カバー部材によって固定部材及び挟持部材を外部から観察しにくくすることができる。従って、頭部装着型画像表示装置の外観を良好にできる。
この他、外部から固定部材及び挟持部材が操作されること、例えば、固定部材及び挟持部材による第１挿入部の挟持を解除する操作が行われることを抑制できるので、装着部に装着された第１装着部材の状態を確実に維持できる。
【００１１】
上記第１態様では、前記カバー部材は、前記第１挿入口を形成するカバー本体と、前記カバー本体に対してスライド可能に設けられるスライド部材と、を有し、前記スライド部材は、前記表示部に対して、前記第１挿入部の前記第１挿入口への挿入側とは反対側に配置される第２装着部材における第２挿入部が挿入可能な第２挿入口を開閉することが好ましい。
このような構成によれば、スライド部材をスライドさせることにより、第２装着部材の第２挿入部を第２挿入口に装着可能となる。一方、第２装着部材を使用しない場合には、上記第２挿入口を閉塞できる。従って、上記第１装着部材とは異なる他の装着部材である第２装着部材を装着可能となるので、頭部装着型画像表示装置の汎用性を向上できる他、上記第２挿入口を閉塞することにより、当該頭部装着型画像表示装置の外観を良好にできる。
【００１２】
上記第１態様では、前記第２挿入口は、前記第１方向とは異なる方向に沿って前記第２挿入部が挿入可能に形成されていることが好ましい。
なお、第１方向とは異なる方向とは、第１方向に交差する方向（例えば直交する方向）であることが好ましい。
ここで、第１装着部材と第２装着部材とを同方向に沿って装着部に装着する場合には、これら装着部材が互いに干渉しやすくなるため、上記特許文献１に記載のヘッドマウントディスプレイと同様に、第１装着部材及び第２装着部材のうち、一方を装着部に取り付けた後に他方を取り付けることになる。このような場合には、それぞれの部材の着脱が煩雑となる。
これに対し、上記構成によれば、第１装着部材と第２装着部材とを装着部に装着する際に、第１方向に沿って第１挿入口に挿入される第１挿入部と、当該第１方向とは異なる方向に沿って第２挿入口に挿入される第２挿入部とが、互いに干渉することを抑制できる。更に、第１挿入口への第１挿入部の挿入と、第２挿入口への第２挿入部の挿入とを同時に行った場合でも、これらが干渉することを抑制できる。従って、第１装着部材及び第２装着部材のそれぞれを装着部に装着しやすくすることができる。
【００１３】
上記第１態様では、前記第１方向は、前記表示部による前記画像光の出射方向とは反対方向であり、前記第１挿入口は、前記装着部において前記第１方向とは反対方向側に位置し、前記第２挿入口は、前記装着部において前記第１方向側に位置することが好ましい。
このような構成によれば、第１挿入口に挿入される第１挿入部と、第２挿入口に挿入される第２挿入部とが、装着部の外側にて互いに干渉することを確実に抑制できる。従って、第１装着部材と第２装着部材とを独立して装着部に装着でき、これら第１装着部材及び第２装着部材を装着部に確実に装着できる。
【００１４】
上記第１態様では、前記表示部は、ユーザーの眼に応じて配置され、前記画像を前記ユーザーの眼に導くとともに、外光を透過する導光部材を含み、前記第２装着部材は、前記導光部材に入射される前記外光の少なくとも一部を遮蔽する遮蔽部材であることが好ましい。
このような構成によれば、導光部材を介して画像及び外界を観察できるので、頭部装着型画像表示装置の汎用性を向上できる。一方、第２装着部材である遮蔽部材が、導光部材に対してユーザーとは反対側に配置されるように、上記装着部に装着されることにより、表示された画像の視認性を向上できる。更に、当該遮蔽部材が装着部に対して着脱可能となるので、頭部装着型画像表示装置の用途及び利用環境によって、遮蔽部材の使い分けをすることができる。
【００１５】
本発明の第２態様に係る頭部装着型画像表示装置は、画像を形成する画像光を出射して前記画像を表示する表示部と、前記表示部を支持するフレームと、を備え、前記フレームは、前記表示部に対して前記表示部による前記画像光の出射方向側に位置する第１装着部材と、前記表示部に対して前記第１装着部材の配置側とは反対側に配置される第２装着部材とが装着可能な装着部を有し、前記装着部は、前記出射方向、及び、前記出射方向とは反対方向のいずれかの方向である第１方向に沿って前記第１装着部材の第１挿入部が挿入される第１挿入口と、前記第１方向に交差する第２方向に沿って前記第２装着部材の第２挿入部が挿入される第２挿入口と、を有することを特徴とする。
【００１６】
なお、第１装着部材としては、上記と同様に、ユーザーの鼻に当接されて当該鼻を挟持するノーズパッドや、視力矯正用のレンズを保持するレンズホルダーを例示できる。また、第２装着部材としては、表示部に対する外側に位置し、当該表示部に入射される光の少なくとも一部を遮蔽する遮蔽部材を例示できる。
上記第２態様によれば、第２装着部材の第２挿入部の第２挿入口への挿入方向である第２方向は、第１装着部材の第１挿入部の第１挿入口への挿入方向である第１方向と交差する。これによれば、第１挿入口に挿入される第１挿入部と、第２挿入口に挿入される第２挿入部とが、互いに干渉することを抑制できる。このため、第１装着部材及び第２装着部材を、それぞれ独立して装着部に対して着脱できる。従って、第１装着部材及び第２装着部材のうち一方を装着部に対して着脱する際に、他方を先に着脱する必要がないので、これら第１装着部材及び第２装着部材を装着部に装着しやすくすることができる。
【００１７】
上記第２態様では、前記第１方向は、前記出射方向とは反対方向であり、前記第１挿入口は、前記装着部において前記出射方向側の部位に位置し、前記第２挿入口は、前記装着部において前記出射方向側とは反対側の部位に位置することが好ましい。
このような構成によれば、第１方向が上記出射方向とは反対方向であることにより、装着部への第１装着部材の装着時に、第１挿入部は、頭部装着型画像表示装置がユーザーの頭部に装着された際のユーザー側から装着部の第１挿入口に挿入される。そして、当該第１挿入口は、装着部において上記出射方向側、すなわち、第１方向側とは反対側の部位に位置し、第２挿入口は、上記出射方向側とは反対側、すなわち、第１方向側の部位に位置する。これによれば、第１挿入口に挿入される第１挿入部、及び、第２挿入口に挿入される第２挿入部が、互いに干渉することを確実に抑制できる。従って、第１装着部材及び第２装着部材のそれぞれを確実に装着できる他、これら装着部材を装着しやすくすることができる。
【００１８】
上記第２態様では、前記第１挿入口は、前記装着部において前記出射方向側に開口し、前記第２挿入口は、前記装着部において当該頭部装着型画像表示装置をユーザーが装着した際に下方に開口することが好ましい。
このような構成によれば、ユーザーが頭部装着型画像表示装置を装着した場合、第１方向は、背面側から正面側（前面側）に向かう方向となり、第２方向は、下方から上方に向かう方向となる。これによれば、第１方向と第２方向との交差角を大きくすることができるので、これらの方向に沿って挿入される第１挿入部と第２挿入部とが互いに干渉することを確実に抑制できる他、第１挿入部及び第２挿入部を確実に独立して挿入できる。従って、これら第１装着部材及び第２装着部材を装着しやすくすることができる。そして、第１挿入口がユーザー側に開口し、第２挿入口が下方に開口していることにより、これらを目立たなくすることができる。
【図面の簡単な説明】
【００１９】
【図１】本発明の第１実施形態に係るＨＭＤを前面側から見た斜視図。
【図２】上記第１実施形態におけるＨＭＤを背面側から見た斜視図。
【図３】上記第１実施形態におけるＨＭＤを背面側上方から見た斜視図。
【図４】上記第１実施形態におけるＨＭＤを背面側下方から見た斜視図。
【図５】上記第１実施形態におけるノーズパッドを背面側から見た斜視図。
【図６】上記第１実施形態における他のクリングスを示す斜視図。
【図７】上記第１実施形態における他のクリングスを示す斜視図。
【図８】上記第１実施形態における他のクリングスを示す斜視図。
【図９】上記第１実施形態におけるレンズホルダーを背面側下方から見た斜視図。
【図１０】上記第１実施形態における遮蔽部材を背面側から見た斜視図。
【図１１】上記第１実施形態における遮蔽部材の係止部における縦断面図。
【図１２】上記第１実施形態におけるフレーム本体の装着部を下方から見た斜視図。
【図１３】上記第１実施形態における装着部の各部材を下方から見た分解斜視図。
【図１４】上記第１実施形態における装着部の各部材を上方から見た分解斜視図。
【図１５】上記第１実施形態における固定部材を背面側下方から見た斜視図。
【図１６】上記第１実施形態における固定部材を背面側上方から見た斜視図。
【図１７】上記第１実施形態における挟持部材を背面側上方から見た斜視図。
【図１８】上記第１実施形態におけるカバー部材を背面側下方から見た斜視図。
【図１９】上記第１実施形態におけるカバー部材を背面側上方から見た斜視図。
【図２０】上記第１実施形態におけるノーズパッドを装着したＨＭＤを示す縦断面図。
【図２１】上記第１実施形態における装着部及び遮蔽部材を下方から見た図。
【図２２】本発明の第２実施形態に係るＨＭＤを前面側上方から見た斜視図。
【図２３】上記第２実施形態におけるＨＭＤを背面側下方から見た斜視図。
【図２４】上記第２実施形態におけるフレーム及び支持部材を背面側下方から見た斜視図。
【図２５】上記第２実施形態における支持部材を背面側上方から見た斜視図。
【図２６】上記第２実施形態における支持部材を前面側下方から見た斜視図。
【図２７】上記第２実施形態における遮蔽部材を背面側下方から見た斜視図。
【図２８】上記第２実施形態におけるノーズパッド及び遮蔽部材が装着されたＨＭＤを示す断面図。
【発明を実施するための形態】
【００２０】
［第１実施形態］
以下、本発明の第１実施形態について、図面に基づいて説明する。
［ＨＭＤの外観構成］
図１及び図２は、本実施形態に係るＨＭＤ１の外観を示す斜視図である。詳述すると、図１は、当該ＨＭＤ１を前面側から見た斜視図であり、図２は、当該ＨＭＤ１を背面側から見た斜視図である。
本実施形態に係るＨＭＤ（Head Mounted Display）１は、ユーザーの頭部に装着されて使用され、当該ユーザーによって視認可能に画像を表示するとともに、外光を透過させて外界を観察可能とするシースルー型の頭部装着型画像表示装置である。このＨＭＤ１は、図１及び図２に示すように、フレーム２と、それぞれフレーム２に取り付けられる２つの光学装置３（左側の光学装置を３Ｌとし、右側の光学装置を３Ｒとする）及び撮像装置４（図１）と、を備えて構成される装置本体１０を備える。この他、ＨＭＤ１は、当該装置本体１０に着脱可能に設けられるノーズパッド５（図２）、レンズホルダー６（図１）及び遮蔽部材７（図１）を備える。
そして、本実施形態に係るＨＭＤ１は、第１装着部材としてのノーズパッド５及びレンズホルダー６の位置を調整可能に保持する点、及び、フレーム２における遮蔽部材７の取付部位を隠して目立たないようにすることができる点のそれぞれを特徴の１つとしている。
【００２１】
なお、以下の説明では、ＨＭＤ１を装着したユーザーを正面視した場合に、ＨＭＤ１において観察される側を前面側（或いは前方）とし、反対側を背面側（或いは後方）とする。また、ＨＭＤ１における上側及び下側は、当該ユーザーにおける上側及び下側に対応し、ＨＭＤ１における右側及び左側は、当該ＨＭＤ１を装着したユーザーにおける右側及び左側に対応する。
そして、以下に示す図及び説明においては、互いに直交する＋Ｘ方向、＋Ｙ方向及び＋Ｚ方向のうち、＋Ｚ方向を前後方向のうち背面側から前面側に向かう方向（第１方向）とし、＋Ｙ方向を上下方向のうち下側から上側に向かう方向として記載し、＋Ｘ方向を左右方向のうち左側から右側に向かう方向とする。更に、説明の便宜上、＋Ｚ方向の反対方向を−Ｚ方向とする。−Ｙ方向及び−Ｘ方向も同様である。
すなわち、ＨＭＤ１において、後述する導光部材３２によって画像光が出射される方向は、前面側から背面側に向かう−Ｚ方向であり、当該ＨＭＤ１を装着したユーザーが、当該導光部材３２によって表示された画像を観察する視方向は、背面側から前面側に向かう＋Ｚ方向である。
【００２２】
［フレームの構成］
フレーム２は、眼鏡のフレーム様の構成を有するものであり、上記のように、光学装置３及び撮像装置４を支持する他、上記ノーズパッド５、レンズホルダー６及び遮蔽部材７を必要に応じて支持する。このフレーム２は、上方（＋Ｙ方向側）から見て略Ｕ字状を有するフレーム本体２１と、当該フレーム本体２１に取り付けられるケース部材２２（２２Ｌ，２２Ｒ）と、各ケース部材２２の端部にそれぞれ設けられるテンプル２３（２３Ｌ，２３Ｒ）と、を有する。
【００２３】
フレーム本体２１は、ＨＭＤ１がユーザーに装着された場合に、当該ユーザーの前額部に沿うフロント部２１１と、当該フロント部２１１の両端から延出して左右のこめかみに沿う側面部２１２Ｌ，２１２Ｒとを有する。
フロント部２１１は、光学装置３を構成してユーザーの左右の眼前に配置される導光部材３２（３２Ｌ，３２Ｒ）を保持する。このフロント部２１１において、眼鏡のブリッジに応じた部位には、ノーズパッド５、レンズホルダー６及び遮蔽部材７を着脱可能に支持する装着部２１３が設けられている。この装着部２１３の構成は、後に詳述する。
【００２４】
右側の側面部２１２Ｒ及び左側の側面部２１２Ｌは、フロント部２１１と一体的に形成されている。これら側面部２１２Ｒ，２１２Ｌは、図１に示すように、フレーム本体２１における左右の両端から下方に垂下するとともに、上記左右のこめかみに沿って背面側に延出している。
右側の側面部２１２Ｒには、ケース部材２２Ｒがユーザー側から取り付けられる。これら側面部２１２Ｒ及びケース部材２２Ｒによって囲まれる空間内に、右側の光学装置３（３Ｒ）を構成する光学ユニット３１が配置される。なお、ケース部材２２Ｒは、上側に位置する上部ケース２２１と、下側に位置する下部ケース２２２とが組み合わされ、上下方向の断面が横向きのＵ字状となるように構成されている。
側面部２１２Ｒにおける前面側の端部（前面側に湾曲した端部）には、図１に示すように、撮像装置４が配置されている。この撮像装置４は、詳しくは後述するが、側面部２１２Ｒとケース部材２２Ｒとにより囲まれる上記空間Ｓ（図３及び図４参照）内に配置される制御部３１３（図４参照）によって動作が制御され、撮像画像を当該制御部３１３に出力する。
【００２５】
左側の側面部２１２Ｌには、ケース部材２２Ｌがユーザー側から取り付けられる。これら側面部２１２Ｌ及びケース部材２２Ｌによって囲まれる空間には、左側の光学装置３Ｌを構成する光学ユニット３１が配置される。なお、当該ケース部材２２Ｌも、ケース部材２２Ｒと同様に、上部ケース２２１及び下部ケース２２２が組み合わされて構成されている。
なお、ケース部材２２Ｌは、外部の制御装置（図示省略）から画像信号及び駆動電力が供給されるケーブルＣＢが内部に挿通する孔部２２Ｌ１が形成されている。
【００２６】
テンプル２３Ｌ，２３Ｒは、ユーザーの耳に懸架されて、ＨＭＤ１を支持する部位である。これらテンプル２３Ｌ，２３Ｒは、側面部２１２Ｌ，２１２Ｒにおいてフロント部２１１側とは反対側の端部に、ユーザー側に屈曲可能に接続されている。これらテンプル２３Ｌ，２３Ｒを、対応する側面部２１２Ｌ，２１２Ｒと略平行に伸ばすことにより、当該テンプル２３Ｌ，２３Ｒをユーザーの左右の耳にかけることができ、ＨＭＤ１を頭部に装着できる。一方、ユーザーがＨＭＤ１を装着しない場合には、テンプル２３Ｌ，２３Ｒを内側に屈曲させることにより、当該テンプル２３Ｌ，２３Ｒを折り畳むことができる。
【００２７】
［光学装置の構成］
光学装置３（右側の光学装置を３Ｒとし、左側の光学装置を３Ｌとする）は、それぞれ、外部から入力される画像信号に応じた画像を形成及び投射して、当該画像をユーザーに視認させるものである。これらのうち、光学装置３Ｒは、光学ユニット３１と、ユーザーの右眼に応じた位置に配置される導光部材３２（３２Ｒ）と、を有する。なお、以下の説明では光学装置３Ｒについて説明するが、光学装置３Ｌも、光学装置３Ｒとは左右が逆になるが同様に、光学ユニット３１と、ユーザーの左眼に応じた位置に配置される導光部材３２（３２Ｌ）と、を有する。
【００２８】
［光学ユニットの構成］
図３は、上記ケース部材２２Ｒの上部ケース２２１を取り外したＨＭＤ１を背面側上方から見た斜視図であり、図４は、ケース部材２２Ｒを取り外したＨＭＤ１を背面側下方から見た斜視図である。なお、図３及び図４では、画像形成装置３１１の枠体を図示し、表示パネルの図示を省略している。
光学ユニット３１は、対応する導光部材３２に画像光（画像を形成する光）を出射する画像投射装置である。この光学ユニット３１は、図３及び図４に示すように、画像形成装置３１１、投射光学装置３１２及び制御部３１３を有する。
【００２９】
画像形成装置３１１は、制御部３１３による制御の下、外部から入力される画像信号に応じた画像光を形成する。このような画像形成装置３１１としては、本実施形態では、自己発光型表示パネルである有機ＥＬ（Electro-Luminescence）パネルにより構成されている。しかしながら、これに限らず、画像形成装置３１１は、ＬＥＤ（Light Emitting Diode）等の光源と、透過型又は反射型の液晶パネルや、ＭＥＭＳミラー等のマイクロミラーを用いたデバイス等の光変調装置との組合せにより構成することも可能である。
投射光学装置３１２は、画像形成装置３１１によって形成された画像光を、対応する導光部材３２に出射する。この投射光学装置３１２は、本実施形態では、複数のレンズが鏡筒内に配置された組レンズとして構成されている。しかしながら、これに限らず、画像形成装置３１１から入射される画像光を導光部材３２に導くことが可能であれば、当該複数のレンズの少なくとも１つに代えてプリズム（投射プリズム）を採用してもよい。
【００３０】
これら画像形成装置３１１及び投射光学装置３１２は、一体化されている。このような画像形成装置３１１及び投射光学装置３１２は、図３に示すように、側面部２１２Ｒの内面から突出する固定部２１２１と基板ホルダー２４とに固定され、ケース部材２２Ｒによって覆われる。
基板ホルダー２４は、ケース部材２２Ｒの内側の空間、すなわち、当該ケース部材２２Ｒと側面部２１２Ｒとによって囲まれる空間Ｓ内に設けられる。この基板ホルダー２４の下面には、図４に示すように、制御部３１３が配置される。このような基板ホルダー２４によって、当該空間Ｓは、画像形成装置３１１及び投射光学装置３１２が位置する上部空間Ｓ１と、制御部３１３が位置する下部空間Ｓ２とに区画される。
制御部３１３は、上記ケーブルＣＢを介して外部から供給され、フレーム本体２１のフロント部２１１の内側を通る信号線（図示省略）を介して入力される画像信号に応じて画像形成装置３１１を駆動する駆動回路を有する。なお、光学装置３Ｒを構成する光学ユニット３１の制御部３１３には、上記撮像装置４の動作を制御する制御回路が実装されている。
【００３１】
導光部材３２（右側の導光部材を３２Ｒとし、左側の導光部材を３２Ｌとする）は、本発明の表示部に相当する。これら導光部材３２は、それぞれユーザーの左右の眼前に応じた位置に配置され、対応する投射光学装置３１２から出射された画像光を、ユーザーの左眼及び右眼に導くものである。
具体的に、導光部材３２Ｒは、光学装置３Ｒを構成する光学ユニット３１の投射光学装置３１２から入射される右眼用画像の画像光を、界面にて内面反射させて中央側に進行させ、ユーザーの右眼に応じた位置に設けられた半透過層によって反射させて外部に出射する。これにより、当該右眼用画像の画像光は、導光部材３２Ｒから背面側に出射され、ユーザーの右眼に入射される。すなわち、表示部としての導光部材３２Ｒは、画像光を−Ｚ方向に沿って出射する。左眼用画像の画像光を左眼に導く導光部材３２Ｌも同様である。
これら導光部材３２Ｌ，３２Ｒは、それぞれ可視光領域で高い光透過性を示す樹脂（例えばシクロオレフィンポリマー）により形成されている。このため、左右の眼前に配置された導光部材３２Ｌ，３２Ｒを介して、ユーザーは、外界を観察可能である。
【００３２】
［ノーズパッドの構成］
図５は、ノーズパッド５を背面側から見た斜視図である。
ノーズパッド５は、上記装着部２１３に挿抜可能に設けられ、ＨＭＤ１の装着時にユーザーの鼻（小鼻に応じた部位）を左右から挟み、これにより、当該ＨＭＤ１が左右にずれたり、下方にずれたりすることを抑制するものである。このノーズパッド５は、図５に示すように、クリングス５１と、当該クリングス５１に取り付けられる２つのパッド５２（５２Ｌ，５２Ｒ）と、を有する。
【００３３】
クリングス５１は、線状の金属部材を折り曲げて形成されている。このクリングス５１は、Ｕ字状の挿入部５１１と、腕部５１２Ｌ，５１２Ｒと、固定部５１３Ｌ，５１３Ｒと、を有する。
挿入部５１１は、クリングス５１において中央に位置し、上記装着部２１３に挿入されて支持される部位である。この挿入部５１１は、当該挿入部５１１におけるＵ字状の底部に位置する棒状部５１１１と、当該棒状部５１１１の両端から背面側に延出する延出部５１１２Ｌ，５１１２Ｒと、を有する。
棒状部５１１１は、本発明の第１装着部材としてのノーズパッド５における第１規制部に相当する。この棒状部５１１１は、装着部２１３において後述する挿入口２１４に挿入部５１１が挿入された際に、後述する固定部材８１と挟持部材８２とによって挟まれる位置で、かつ、当該挟持部材８２が有する凹部８２２１内に配置される。
【００３４】
延出部５１１２Ｒは、棒状部５１１１における右側の端部から背面側に延出した部位であり、延出部５１１２Ｌは、左側の端部から背面側に延出した部位である。これら延出部５１１２Ｌ，５１１２Ｒの一部は、挿入部５１１が挿入口２１４に挿入された際に、当該挿入口２１４の端縁に当接されて、クリングス５１のがたつきを抑制する。
【００３５】
腕部５１２Ｒ，５１２Ｌは、挿入部５１１の両端（延出部５１１２Ｒ，５１１２Ｌの棒状部５１１１側とは反対側の端部）から左右方向に沿って互いに離間する方向に延出した後、それぞれ下方に屈曲している。
固定部５１３Ｒ，５１３Ｌは、それぞれ腕部５１２Ｌ，５１２Ｒの先端部分に設けられている。これらのうち、固定部５１３Ｒには、ユーザーの鼻における右側部分に当接するパッド５２Ｒが固定され、固定部５１３Ｒには、左側部分に当接するパッド５２Ｌが固定される。
パッド５２Ｒ，５２Ｌは、合成樹脂により形成され、それぞれ固定部５１３Ｒ，５１３Ｌに揺動可能に設けられる。これらパッド５２Ｒ，５２Ｌが鼻を挟むことにより、ＨＭＤ１をユーザーの頭部に安定して位置させることができる。
【００３６】
図６〜図８は、クリングス５１の変形である他のクリングス５１Ａ〜５１Ｃを示す斜視図である。
なお、ＨＭＤ１を装着するユーザーの鼻の形状や位置は、ユーザーによって異なる。このため、本実施形態に係るＨＭＤ１に装着可能なノーズパッド５のクリングスとしては、上記クリングス５１の他、図６〜図８に示すクリングス５１Ａ〜５１Ｃが挙げられる。
これらクリングス５１Ａ〜５１Ｃは、上記と同様に、第１挿入部としての挿入部５１１と、腕部５１２Ｒ，５１２Ｌ及び固定部５１３Ｒ，５１３Ｌと、を有する。しかしながら、クリングス５１，５１Ａ〜５１Ｃは、腕部５１２Ｒ，５１２Ｌの形状及び寸法がそれぞれ異なり、これにより、挿入部５１１から固定部５１３Ｒ，５１３Ｌまでの高さ寸法、ひいては、挿入部５１１からパッド５２Ｒ，５２Ｌまでの高さ寸法が異なり、また、パッド５２Ｒ，５２Ｌ間の寸法もそれぞれ異なる。これらクリングス５１，５１Ａ〜５１Ｃから、ユーザーは、自身に適したクリングスを有するノーズパッド５を選択して利用する。
なお、腕部５１２Ｒ，５１２Ｌは、線状の金属部材により形成されていることから、若干の変形が可能であり、当該腕部５１２Ｒ，５１２Ｌをユーザーの鼻の形状に応じて変形させることにより、ユーザーの鼻に適切にパッド５２Ｒ，５２Ｌを当接させることができる。
【００３７】
［レンズホルダーの構成］
図９は、レンズホルダー６を背面側下方から見た斜視図である。なお、図９においては、レンズホルダー６に取り付けられるレンズの図示を省略している。
レンズホルダー６は、視力矯正用の左右のレンズが取り付けられて、上記装着部２１３に取り付けられる第１装着部材の１つである。このレンズホルダー６は、枠部６１Ｒ，６１Ｌ、ブリッジ部６２、挿入部６３、腕部６４Ｒ，６４Ｌ及び固定部６５Ｒ，６５Ｌを有し、これらによってテンプルのない眼鏡様の構成を有する。
枠部６１Ｒ，６１Ｌは、眼鏡のリムに相当する部位であり、上記レンズをそれぞれ保持する保持部である。これら枠部６１Ｒ，６１Ｌは、当該レンズの交換を容易に実施できるように、一部が切り欠かれた枠状を有する。
ブリッジ部６２は、眼鏡のブリッジに相当する部位であり、上記枠部６１Ｒ，６１Ｌを接続する。
【００３８】
挿入部６３は、ブリッジ部６２から前面側に突出した部位であり、本発明の第１装着部材としてのレンズホルダー６における第１挿入部に相当する。この挿入部６３が挿入口２１４に挿入されることにより、レンズホルダー６は、フレーム本体２１に固定される。なお、挿入部６３の先端部分には、下方に向けて屈曲した鉤状部６３１が形成されており、当該鉤状部６３１が挿入口２１４内の部位（詳しくは挟持部材８２の凹部８２２１）に引っ掛かることにより、レンズホルダー６が挿入口２１４から簡易に外れてしまうことを抑制できる。すなわち、鉤状部６３１は、レンズホルダー６における本発明の規制部に相当する。
【００３９】
腕部６４Ｒ，６４Ｌは、それぞれ枠部６１Ｒ，６１Ｌの一部から延出しており、固定部６５Ｒ，６５Ｌは、対応する腕部６４Ｒ，６４Ｌの先端に設けられている。
固定部６５Ｒ，６５Ｌは、上記固定部５１３Ｒ，５１３Ｌと同様に、上記パッド５２Ｒ，５２Ｌ（図９では図示省略）を固定可能に構成されている。このため、上記装着部２１３にレンズホルダー６が装着される場合には、ノーズパッド５は利用されない。
【００４０】
［遮蔽部材の構成］
図１０は、遮蔽部材７を背面側から見た斜視図である。
遮蔽部材７は、本発明の第２装着部材に相当する。この遮蔽部材７は、上記ノーズパッド５及びレンズホルダー６の配置側とは反対側である前面側にて上記導光部材３２Ｒ，３２Ｌを覆うようにフレーム２に取り付けられ、外界を見づらくして、表示される画像の視認性を向上させるものである。このような遮蔽部材７は、図１０に示すように、遮光部７１及び一対の挿入部７２を有する。
遮光部７１は、導光部材３２Ｒ，３２Ｌを覆い、入射される光の少なくとも一部を遮蔽して、当該導光部材３２Ｒ，３２Ｌに向けて透過される光の透過率を低減させる。このような遮光部７１は、入射される光を完全に遮蔽してもよい。このような透過率が異なる遮光部７１を有する遮蔽部材７は、予め複数用意されており、ユーザーは、当該遮蔽部材７の中から、用途や使用環境に応じて選択して利用する。
【００４１】
図１１は、遮蔽部材７の挿入部７２における縦断面図である。
一対の挿入部７２は、遮蔽部材７における第２挿入部に相当する。この一対の挿入部７２は、遮蔽部材７における背面側（装置本体１０に対向する側）の中央に位置し、上記装着部２１３に下方から取り付けられて、当該遮蔽部材７を当該装着部２１３に係止する部位である。この一対の挿入部７２は、遮光部７１において凹状に形成された中央部分における下端から上方に向かって延出している。
具体的に、一対の挿入部７２は、遮光部７１の背面７１Ｂと隙間ＧＰ１を介して対向しており、当該一対の挿入部７２は、装着部２１３が有する挿入口２１５に下方から挿入される。そして、詳しくは後述するが、各挿入部７２の先端に位置する鉤状部７３が、装着部２１３を構成する取付部位２１Ａの取付部２１Ａ４（図１３）に引っ掛かり、当該取付部２１Ａ４を挟持することにより、遮蔽部材７がフレーム本体２１に取り付けられる。
【００４２】
［装着部の構成］
図１２は、上記フレーム本体２１が有する装着部２１３を下方から見た斜視図である。
装着部２１３は、上記のように、フレーム本体２１において導光部材３２Ｒ，３２Ｌに挟まれる部位に位置し、上記ノーズパッド５又はレンズホルダー６が着脱可能に装着される他、遮蔽部材７が着脱可能に装着される。この装着部２１３は、図１２に示すように、背面側から上記挿入部５１１，６３を挿入可能な第１挿入口としての挿入口２１４と、上記一対の挿入部７２を挿入可能な第２挿入口としての挿入口２１５と、を有する。
なお、以下の説明では、上記ノーズパッド５及びレンズホルダー６のうち、装着部２１３に装着される部材を第１装着部材と総称し、これらノーズパッド５及びレンズホルダー６のそれぞれの挿入部５１１，６３を対象挿入部と総称する。なお、遮蔽部材７は、上記のように、本発明の第２装着部材に相当する。
【００４３】
図１３は、装着部２１３を構成する固定部材８１、挟持部材８２及びカバー部材８３を下方から見た分解斜視図であり、図１４は、各部材８１〜８３を上方から見た分解斜視図である。
このような装着部２１３は、図１３及び図１４に示すように、固定部材８１、挟持部材８２及びカバー部材８３を有し、これらがフレーム本体２１の取付部位２１Ａに取り付けられて構成されている。
なお、取付部位２１Ａには、背面側端部における左右に２つのねじ孔２１Ａ１，２１Ａ２が形成されている他、正面側端部における中央に１つのねじ孔２１Ａ３が形成されている。これらのうち、ねじ孔２１Ａ３は、取付部位２１Ａにおける前面側の内面から突設され、当該取付部位２１Ａの底面（内面において下方を向く面）との間に隙間ＧＰ３（図２０参照）が形成される取付部２１Ａ４に形成されている。なお、この取付部２１Ａ４は、上記遮蔽部材７の２つの鉤状部７３により挟持される。
【００４４】
［固定部材の構成］
図１５は、固定部材８１を背面側下方から見た斜視図であり、図１６は、背面側上方から見た斜視図である。
固定部材８１は、フレーム本体２１において導光部材３２Ｒ，３２Ｌに挟まれる取付部位２１Ａに、当該導光部材３２Ｒ，３２Ｌの一部を下方から覆うように固定され、当該導光部材３２Ｒ，３２Ｌをフレーム本体２１に押さえる機能を有する。この他、固定部材８１は、上記第１装着部材の対象挿入部を挟持部材８２との間にて挟持して、当該第１装着部材を保持する機能を有する。
この固定部材８１は、図１５及び図１６に示すように、平面視略Ｔ字状に形成されており、押さえ部８１１Ｒ，８１１Ｌ、３つの孔部８１２、当接部８１３、開口部８１４、挟持部８１５、及び、突出部８１６Ｌ，８１６Ｒを有する。
【００４５】
押さえ部８１１Ｒは、固定部材８１において右側の端部に位置し、当該固定部材８１が取付部位２１Ａにねじにより固定された際に、導光部材３２Ｒにおける左側の端部３２Ｒ１（図１３参照）をフレーム本体２１側に押さえる。
押さえ部８１１Ｌは、固定部材８１において左側の端部に位置し、当該固定部材８１が取付部位２１Ａにねじにより固定された際に、導光部材３２Ｌにおける右側の端部３２Ｌ１（図１３参照）をフレーム本体２１側に押さえる。
なお、上記端部３２Ｒ１，３２Ｌ１は、図１３に示すように、導光部材３２Ｒ，３２Ｌにおいて互いに近接する方向に延出して、上記取付部位２１Ａの一部を下方側から覆うように配置される。これら端部３２Ｒ１，３２Ｌ１が上記押さえ部８１１Ｒ，８１１Ｌによって取付部位２１Ａ側に押さえられることにより、導光部材３２Ｒ，３２Ｌがフレーム本体２１に安定して保持される。
【００４６】
３つの孔部８１２は、背面側の部位における左右方向の両端に形成された２つの孔部８１２１，８１２２と、前面側の部位における左右方向の中央に形成された１つの孔部８１２３と、を含む。これら３つの孔部８１２には、取付部位２１Ａに形成されたねじ孔２１Ａ１〜２１Ａ３（図１３参照）に螺合するねじがそれぞれ挿通し、当該ねじにより、固定部材８１は取付部位２１Ａに固定される。なお、孔部８１２３を挿通するねじは、挟持部材８２を固定するねじでもある。
当接部８１３は、固定部材８１において前面側の端部に位置し、前面側に突出している。この当接部８１３の上面は、固定部材８１が取付部位２１Ａに取り付けられた際に、上記取付部２１Ａ４の下面に当接する。
【００４７】
開口部８１４は、固定部材８１の略中央に略矩形状に形成されている。
挟持部８１５は、開口部８１４の端縁のうち前面側の端縁から上方に起立する起立部８１５１と、当該起立部８１５１の起立方向先端から背面側に向かって延出した延出部８１５２と、を有する。これらのうち、延出部８１５２は、上記対象挿入部における上側の端面に当接し、固定部材８１と組み合わされる挟持部材８２との間に当該対象挿入部を挟持する。
【００４８】
突出部８１６Ｒは、開口部８１４の端縁のうち右側の端縁から当該開口部８１４の内側に向かって突出し、突出部８１６Ｌは、開口部８１４の端縁のうち左側の端縁から当該開口部８１４の内側に向かって突出している。これら突出部８１６Ｌ，８１６Ｒは、後述するカバー部材８３のカバー本体８４が有する突出部８４３Ｒ，８４３Ｌと係合する。これにより、当該カバー本体８４が、取付部位２１Ａに固定された固定部材８１に取り付けられる。
なお、突出部８１６Ｒは、押さえ部８１１Ｒと連続して形成され、突出部８１６Ｌは、押さえ部８１１Ｌと連続して形成されている。
【００４９】
［挟持部材の構成］
図１７は、挟持部材８２を背面側上方から見た斜視図である。
挟持部材８２は、固定部材８１を挟むように取付部位２１Ａに取り付けられて、当該固定部材８１の延出部８１５２とともに上記対象挿入部を挟持する。この挟持部材８２は、図１７に示すように、固定部８２１及び延出部８２２を有する。
固定部８２１は、上方から見て略正方形状に形成されている。この固定部８２１の略中央には、上記孔部８１２３を挿通するねじが挿通する孔部８２１１が形成されている。また、固定部８２１の上面は、固定部材８１と当接する当接面８２１Ａとして形成され、当該当接面８２１Ａは、平坦に形成されている。この当接面８２１Ａが当接する固定部材８１の面も平坦に形成されている。
【００５０】
延出部８２２は、固定部８２１における背面側の端部から背面側に延出しており、上下方向に撓む可撓性を有する。この延出部８２２は、挟持部材８２が固定部材８１と組み合わされた際に、上記延出部８１５２の下方に位置し、これら延出部８２２，８１５２の間には、上記対象挿入部を挿入可能な隙間ＧＰ２（図２０参照）が形成される。
この延出部８２２は、側方（例えば右側である＋Ｘ方向側）から見て波状に形成されており、当該延出部８２２は、上方側（すなわち延出部８１５２側）に開口する複数の凹部８２２１が延出部８２２の延出方向（−Ｚ方向）に並んでいる。
また、延出部８２２における延出方向先端側の端部８２２２は、当該延出部８２２において最も上方側の位置より下がった位置に位置する。詳述すると、当該端部８２２２は、上記取付部位２１Ａと後述するカバー本体８４の凹部８４１１とによって形成される挿入口２１４における下方側の端縁より更に下方側に位置する。これにより、当該挿入口２１４に挿入された対象挿入部を、延出部８２２，８１５２の間に誘導できる。
【００５１】
［カバー部材の構成］
図１８は、カバー部材８３を背面側下方から見た斜視図であり、図１９は、当該カバー部材８３を背面側上方から見た斜視図である。
カバー部材８３は、取付部位２１Ａに固定された固定部材８１及び挟持部材８２を覆うとともに、上記対象挿入部を挿入可能な挿入口２１４を取付部位２１Ａとともに形成する。更に、カバー部材８３は、第２装着部材としての遮蔽部材７の挿入部７２を挿入可能な挿入口２１５を開閉する。このカバー部材８３は、図１８及び図１９に示すように、カバー本体８４及びスライド部材８５を有し、これらが組み合わされて構成される。
【００５２】
［カバー本体の構成］
カバー本体８４は、下方又は上方から見て前面側の端部に比べて背面側の端部が幅広な略Ｔ字状に形成されている。このカバー本体８４は、起立部８４１、凹部８４２、突出部８４３Ｒ，８４３Ｌ、ガイド部８４４Ｒ，８４４Ｌ及び規制部８４５を有する。
起立部８４１は、図１９に示すように、カバー本体８４の上面８４Ａにおける背面側（−Ｚ方向側）の端縁から上方に起立している。この起立部８４１の先端面は、カバー本体８４が固定部材８１に取り付けられた際に、取付部位２１Ａと接続される。この起立部８４１における左右方向の中央には、上方に開口する凹部８４１１が形成されており、当該凹部８４１１は、上記挿入口２１４の下方側の端縁を形成する。すなわち、挿入口２１４は、上端縁が取付部位２１Ａによって形成され、下端縁が当該凹部８４１１によって形成される。
【００５３】
凹部８４２は、上面８４Ａにおける前面側（＋Ｚ方向側）の部位に、上方側及び前面側に開口するように形成されている。この凹部８４２の内側には、スライド部材８５における背面側の一部が配置される。
突出部８４３Ｒ，８４３Ｌは、それぞれ、凹部８４２の底部から上方に突出している。これら突出部８４３Ｒ，８４３Ｌは、当該底部からの突出方向先端部分が屈曲した鉤状に形成されており、各先端部分の屈曲方向は、互いに反対方向となっている。すなわち、左側の突出部８４３Ｌの先端部分は、左側に突出しており、また、右側の突出部８４３Ｒの先端部分は、右側に突出している。これら突出部８４３Ｒ，８４３Ｌは、カバー本体８４が固定部材８１に固定される際に、上記開口部８１４に挿入され、当該開口部８１４の端縁に位置する突出部８１６Ｒ，８１６Ｌに引っ掛かる。これにより、カバー本体８４が固定部材８１に取り付けられる。
【００５４】
ガイド部８４４Ｒ，８４４Ｌは、凹部８４２の底部から起立した後に内側に屈曲して、当該凹部８４２内に一部が位置するスライド部材８５の前面側及び背面側へのスライド移動を案内する。
具体的に、ガイド部８４４Ｒは、凹部８４２における前面側端部の右側（＋Ｘ方向側）に位置し、ガイド部８４４Ｌは、前面側端部の左側に位置する。これらガイド部８４４Ｒ、８４４Ｌの間に、スライド部材８５の背面側端部が挿入される。そして、スライド部材８５は、これらガイド部８４４Ｒ，８４４Ｌにおいて当該スライド部材８５と対向するガイド面８４４１に沿ってスライドする。
このように、ガイド部８４４Ｒ，８４４Ｌはスライド部材８５を挟む他、当該スライド部材８５を上側から押さえて、当該スライド部材８５の凹部８４２からの抜けを規制する規制部としても機能する。
【００５５】
規制部８４５は、凹部８４２内において突出部８４３Ｒ，８４３Ｌに挟まれる部位に位置している。この規制部８４５は、前面側に向かうに従って左右方向の寸法が小さくなる略二等辺三角形状に形成されている。この規制部８４５は、スライド部材８５に形成された凹部８５３に挿入されて、当該スライド部材８５の背面側への必要以上の移動を規制する。
【００５６】
［スライド部材の構成］
スライド部材８５は、カバー本体８４に対して前面側及び背面側にスライド可能に支持されている。このスライド部材８５は、上記第２装着部材としての遮蔽部材７の挿入部７２が挿入される挿入口２１５を開閉する。このスライド部材８５は、図１８及び図１９に示すように、下方又は上方から見て前面側が幅広な略Ｔ字状に形成されており、背面側が上記凹部８４２内に位置する。
【００５７】
このようなスライド部材８５は、図１９に示すように、突出部８５１、鉤状部８５２Ｒ，８５２Ｌ及び３つの凹部８５３〜８５５を有する。
突出部８５１は、前面側の端部にて下方側及び左右に突出する部位である。この突出部８５１は、ユーザーがスライド部材８５をスライドさせる際に、当該ユーザーの指や爪がスライド部材８５に引っ掛かりやすくするための部位である他、背面側へのスライド後に、カバー本体８４の下面と面一にして外観を良好にするための部位である。
【００５８】
鉤状部８５２Ｒ，８５２Ｌは、背面側の端部において左右方向の両端に位置している。これらのうち、右側に位置する鉤状部８５２Ｒの右側面及び上面は、右側のガイド部８４４Ｒにおけるガイド面８４４１と当接し、左側に位置する鉤状部８５２Ｌの左側面及び上面は、左側のガイド部８４４Ｌにおけるガイド面８４４１に当接する。
なお、各鉤状部８５２Ｒ，８５２Ｌにおいて背面側の部位は、互いに反対方向に屈曲した鉤状に形成され、当該鉤状部分は、スライド部材８５を前面側にスライドさせた際に、それぞれ対応するガイド部８４４Ｒ，８４４Ｌの背面側の端面に当接する。これにより、スライド部材８５がカバー本体８４から脱落することが抑制される。
【００５９】
凹部８５３〜８５５は、スライド部材８５における背面側の端部に、左右方向に並んで配置され、それぞれ前面側に延びる略Ｕ字状に形成されている。
これらのうち、中央の凹部８５３には、上記規制部８４５が背面側から挿入される。
また、凹部８５４，８５５は、凹部８５３を挟む部位に位置する。これら凹部８５４，８５５は、内側に位置する突出部８４３Ｌ，８４３Ｒを避けるための凹部である。
【００６０】
［装着部に対する第１装着部材の装着］
図２０は、第１装着部材としてのノーズパッド５を装着部２１３に装着したＨＭＤ１を示す縦断面図（ＹＺ平面に沿う断面図）である。
上記のように、第１装着部材としてのノーズパッド５は、装着部２１３において背面側（−Ｚ方向側）に位置し、当該背面側に開口する挿入口２１４に挿入部５１１を挿入することにより、当該装着部２１３に取り付けられる。
具体的に、挿入口２１４に挿入された挿入部５１１が、当該挿入口２１４を形成する凹部８４１１を有するカバー本体８４の内側に配置される挟持部材８２の延出部８２２に沿って前面側（＋Ｚ方向側）に更に挿入されると、図２０に示すように、当該延出部８２２と挟持部８１５の延出部８１５２との間に配置される。これにより、当該挿入部５１１は、これら延出部８２２，８１５２によって挟持される。
【００６１】
この際、挿入部５１１を構成する規制部としての棒状部５１１１が、延出部８２２が有する複数の凹部８２２１のいずれかの内側に配置されるので、挿入口２１４に挿入された挿入部５１１の抜けを抑制できる。これにより、挿入部５１１の配置を安定化できる。
一方、挿入部５１１と挿入口２１４の内面との上下方向のクリアランスは、当該挿入口２１４への挿入部５１１の挿入に必要な最小限のクリアランスとなっているため、当該挿入口２１４内での延出部５１１２Ｒ，５１１２Ｒ（図２０では延出部５１１２Ｒの図示を省略）の上下方向及び左右方向へのがたつきが抑制される。これにより、装着部２１３に安定してノーズパッド５を装着することができる。なお、クリングス５１Ａ〜５１Ｃのいずれかを有するノーズパッド５が装着される場合も同様である。
【００６２】
一方、ノーズパッド５に代えて第１装着部材としてのレンズホルダー６を装着する場合も、上記挿入部６３を挿入口２１４に挿入することによって、当該レンズホルダー６を装着部２１３に装着できる。
この際、挿入口２１４に挿入された挿入部６３は、ノーズパッド５と同様に、固定部材８１の挟持部８１５の延出部８１５２と挟持部材８２の延出部８２２との間に挿入され、これら延出部８１５２，８２２によって上下方向において挟持される。
一方、当該挿入部６３の先端部に位置する規制部としての鉤状部６３１は、当該延出部８２２に形成された複数の凹部８２２１のいずれかの内側に配置されることにより、挿入部６３の挿入口２１４からの抜けを抑制できる。これにより、装着部２１３に安定してレンズホルダー６を保持させることができる。
【００６３】
ここで、上記棒状部５１１１及び鉤状部６３１が内側に配置可能な凹部８２２１は、延出部８２２において前面側に向かう方向に沿って並んで配置されている。このため、挿入部５１１，６３の挿入口２１４への挿入量を調整して、棒状部５１１１又は鉤状部６３１が位置する凹部８２２１を調整することにより、ノーズパッド５及びレンズホルダー６に設けられたパッド５２Ｒ，５２Ｒの位置を調整できる。これにより、ノーズパッド５及びレンズホルダー６を、ユーザーに適した部位に位置させることができる。
【００６４】
［装着部に対する第２装着部材の装着］
図２１は、装着部２１３及び遮蔽部材７を下方から見た図であり、スライド部材８５を背面側にスライドさせて開放された挿入口２１５と、当該挿入口２１５に挿入される挿入部７２を有する遮蔽部材７とを、下方から見た図である。
スライド部材８５を背面側にスライドさせると、図２１に示すように、挿入口２１５が開放され、上記固定部材８１及び挟持部材８２のそれぞれの前面側の端部が露出する。この挿入口２１５は、装着部２１３において前面側（＋Ｚ方向側）に位置し、下方（−Ｙ方向側）に開口している。そして、第２装着部材としての上記遮蔽部材７の挿入部７２（図１０及び図１１参照）は、下方側から上方に向けて当該挿入口２１５に挿入される。すなわち、一対の挿入部７２は、上記ノーズパッド５及びレンズホルダー６のそれぞれの挿入部５１１，６３の挿入口２１４への挿入方向である＋Ｚ方向に直交する＋Ｙ方向に沿って、挿入口２１５に挿入される。これにより、各挿入部７２の先端に位置する鉤状部７３が、取付部２１Ａ４を挟持する。
このように鉤状部７３が取付部２１Ａ４を挟持することにより、遮蔽部材７が、図１に示したように、フレーム本体２１（装着部２１３）に取り付けられる。なお、このような遮蔽部材７は、当該遮蔽部材７をフレーム本体２１に対して下方にずらすことにより、当該フレーム本体２１から取り外すことができる。
【００６５】
［第１実施形態の効果］
以上説明した本実施形態に係るＨＭＤ１によれば、以下の効果を奏することができる。
表示部としての導光部材３２からの画像光の出射方向とは反対方向である＋Ｚ方向に沿って背面側から挿入口２１４に挿入された第１装着部材としてのノーズパッド５の挿入部５１１は、固定部材８１の延出部８１５２及び挟持部材８２の延出部８２２によって挟持される。これによれば、当該挿入部５１１の位置、ひいては、ノーズパッド５の＋Ｚ方向における位置を維持できる。従って、ノーズパッド５の挿入口２１４への挿入量を調整することにより、当該＋Ｚ方向におけるノーズパッド５の位置を調整できる。第１装着部材として上記レンズホルダー６を装着部２１３に装着する場合も同様である。
【００６６】
挟持部材８２は、固定部８２１から背面側に−Ｚ方向に沿って配列された複数の凹部８２２１を有する。また、第１装着部材としてのノーズパッド５の挿入部５１１は、当該凹部８２２１内に配置される規制部としての棒状部５１１１を有する。これによれば、複数の凹部８２２１のいずれかに棒状部５１１１が配置されることにより、挿入口２１４からの挿入部５１１の抜けを抑制できる。従って、装着部２１３からのノーズパッド５の脱落を抑制できる。第１装着部材として上記レンズホルダー６が採用される場合も、規制部としての鉤状部６３１が上記複数の凹部８２２１のいずれかに配置されることにより、上記と同様の効果を奏することができる。
また、挿入口２１４への挿入部５１１の挿入方向（前後方向であり＋Ｚ方向）に沿って複数の凹部８２２１が配列されている。これによれば、当該挿入方向における挿入部５１１，６３の位置、ひいては、ノーズパッド５又はレンズホルダー６の位置を段階的に調整できる。従って、ノーズパッド５及びレンズホルダー６の位置調整を容易に実施できる。
【００６７】
装着部２１３は、固定部材８１及び挟持部材８２を覆うカバー部材８３を有する。これによれば、カバー部材８３によって固定部材８１及び挟持部材８２を外部から観察しにくくすることができる。従って、ＨＭＤ１の外観を良好にできる。この他、外部から固定部材８１及び挟持部材８２が操作されること、例えば、固定部材８１及び挟持部材８２による挿入部５１１，６３の挟持を解除する操作が行われることを抑制できるので、装着部２１３に装着されたノーズパッド５及びレンズホルダー６の状態を確実に維持できる。
【００６８】
カバー部材８３は、挿入口２１４の端縁を形成するカバー本体８４と、当該カバー本体８４に対してスライド可能に設けられるスライド部材８５と、を有する。これらのうち、スライド部材８５は、導光部材３２に対して挿入部５１１，６３の挿入口２１４への挿入側とは反対側（導光部材３２Ｒ，３２Ｌの前面側）に配置される第２装着部材としての遮蔽部材７の挿入部７２が挿入可能な挿入口２１５を開閉する。これによれば、スライド部材８５をスライドさせることにより、遮蔽部材７を装着部２１３に装着可能となる。一方、遮蔽部材７を使用しない場合には、当該挿入口２１５を閉塞できる。従って、第１装着部材とは異なる、遮蔽部材７等の他の装着部材を装着可能となるので、ＨＭＤ１の汎用性を向上できる。この他、スライド部材８５をスライドさせて挿入口２１５を閉塞することにより、ＨＭＤ１の外観を良好にできる。
【００６９】
挿入口２１５は、挿入部５１１，６３の挿入口２１４への挿入方向（＋Ｚ方向）に対する直交方向（＋Ｙ方向）に沿って一対の挿入部７２が挿入可能に形成されている。これによれば、第１装着部材としてのノーズパッド５又はレンズホルダー６と、第２装着部材としての遮蔽部材７とを装着部２１３に装着する際に、挿入口２１４に挿入される挿入部５１１，６３と、挿入口２１５に挿入される一対の挿入部７２とが、互いに干渉することを抑制できる。従って、ノーズパッド５又はレンズホルダー６と、遮蔽部材７とのそれぞれを装着部２１３に装着しやすくすることができる。
【００７０】
挿入部５１１，６３の挿入口２１４への挿入方向（＋Ｚ方向）は、導光部材３２による画像光の出射方向（−Ｚ方向）とは反対方向であり、挿入口２１４は、装着部２１３において−Ｚ方向側に位置し、挿入口２１５は、装着部２１３において＋Ｚ方向側に位置する。これによれば、挿入口２１４に挿入される対象挿入部である挿入部５１１，６３と、挿入口２１５に挿入される一対の挿入部７２とが、装着部２１３の外側にて互いに干渉することを確実に抑制できる。従って、ノーズパッド５又はレンズホルダー６と、遮蔽部材７とを独立して装着部２１３に装着でき、これらを装着部２１３に確実に装着できる。
【００７１】
光学装置３Ｒ，３Ｌは、ユーザーの右眼及び左眼に応じてそれぞれ配置される。これら光学装置３Ｒ，３Ｌは、それぞれ光学ユニット３１と、当該光学ユニット３１によって投射された画像を当該右眼及び左眼に導くとともに、外光を透過する導光部材３２Ｒ，３２Ｌを有する。そして、第２装着部材としての遮蔽部材７は、導光部材３２Ｒ，３２Ｌに入射される外光の少なくとも一部を遮蔽する。これによれば、導光部材３２Ｒ，３２Ｌを介して当該画像及び外界を観察できるので、ＨＭＤ１の汎用性を向上できる。一方、装着部２１３に装着された遮蔽部材７が、導光部材３２Ｒ，３２Ｌに入射される外光を遮蔽するので、表示された画像の視認性を向上できる。更に、遮蔽部材７は、装着部２１３に対して着脱可能であるので、ＨＭＤ１の用途及び利用環境によって、遮蔽部材７の使い分けをすることができる。
【００７２】
フレーム２は、表示部としての導光部材３２Ｒ，３２Ｌに対して画像光の出射方向側である−Ｚ方向側に位置する第１装着部材としてのノーズパッド５及びレンズホルダー６と、導光部材３２Ｒ，３２Ｌに対して当該第１装着部材の配置側とは反対側に配置される第２装着部材としての遮蔽部材７が装着可能な装着部２１３を有する。この装着部２１３は、当該出射方向とは反対方向である＋Ｚ方向（第１方向）に沿って挿入部５１１，６３が挿入される第１挿入口としての挿入口２１４と、＋Ｙ方向（第２方向）に沿って挿入部７２が挿入される第２挿入口としての挿入口２１５と、を有する。
これによれば、挿入部７２の挿入口２１５への挿入方向と、挿入部５１１，６３の挿入口２１４への挿入方向とが異なることから、挿入部５１１，６３と挿入部７２とが、互いに干渉することを抑制できる。このため、ノーズパッド５及びレンズホルダー６のいずれかと遮蔽部材７とを、それぞれ独立して装着部２１３に対して着脱できる。従って、これら部材の装着部２１３への装着を実施しやすくすることができる。
【００７３】
挿入口２１４への挿入部５１１，６３の挿入方向は、上記画像光の出射方向とは反対方向である。また、挿入口２１４は、装着部２１３において当該出射方向側（−Ｚ方向側）の部位に位置し、挿入口２１５は、装着部２１３において当該出射方向側とは反対側（＋Ｚ方向側）の部位に位置する。これによれば、装着部２１３への第１装着部材の装着時に、挿入部５１１，６３は、ユーザー側から挿入口２１４に挿入される。そして、挿入口２１４は、装着部２１３においてユーザー側の部位に位置し、挿入口２１５は、ユーザー側とは反対側に位置する。これによれば、挿入口２１４に挿入される挿入部５１１，６３、及び、挿入口２１５に挿入される挿入部７２が、互いに干渉することを確実に抑制できる。従って、ノーズパッド５及びレンズホルダー６のいずれかと遮蔽部材７とを確実に装着できる他、これら部材を装着しやすくすることができる。
【００７４】
挿入口２１４は、装着部２１３において上記画像光の出射方向側である背面側（−Ｚ方向側）に開口し、挿入口２１５は、装着部２１３において下方（−Ｙ方向側）に開口している。これによれば、挿入口２１４への挿入部５１１，６３の挿入方向（＋Ｚ方向に沿う方向）と、挿入口２１５への挿入部７２への挿入方向（＋Ｙ方向に沿う方向）との交差角を大きくすることができる。このため、これらの方向に沿って挿入される挿入部５１１，６３と挿入部７２とが互いに干渉することを確実に抑制できる他、挿入部５１１，６３及び挿入部７２を確実に独立して挿抜できる。従って、これら第１装着部材及び第２装着部材を装着しやすくすることができる。また、挿入口２１４が背面側に開口し、挿入口２１５が下方に開口していることにより、これら挿入口２１４，２１５を目立たなくすることができる。従って、ＨＭＤ１の外観を良好にできる。
【００７５】
［第２実施形態］
次に、本発明の第２実施形態について説明する。
本実施形態に係るＨＭＤは、上記ＨＭＤ１と同様の構成を有するが、装着部及び遮蔽部材の構成が異なる。なお、以下の説明では、既に説明した部分と同一又は略同一である部分については、同一の符号を付して説明を省略する。
【００７６】
図２２及び図２３は、本実施形態に係るＨＭＤ１Ａを前面側上方及び背面側下方からそれぞれ見た斜視図である。
本実施形態に係るＨＭＤ１Ａは、図２２及び図２３に示すように、上記取付部位２１Ａに取り付けられて装着部２１３を構成する固定部材８１及び挟持部材８２に代えて、上記取付部位２１Ａに取り付けられて装着部２１６を構成する支持部材８６を有する。この他、ＨＭＤ１Ａは、遮蔽部材７に代えて遮蔽部材７Ａが当該装着部２１６に着脱可能に装着される。これら以外の構成及び機能については、ＨＭＤ１Ａは、上記ＨＭＤ１と同様の構成及び機能を有する。
【００７７】
［装着部の構成］
図２４は、フレーム２と、上記取付部位２１Ａに取り付けられて装着部２１６を構成する支持部材８６とを背面側下方から見た斜視図である。
支持部材８６は、図２４に示すように、上記取付部位２１Ａに下方から取り付けられて、ノーズパッド５のクリングス５１及び遮蔽部材７Ａが着脱可能に装着される装着部２１６を構成する。この支持部材８６は、上記カバー部材８３の外形と略一致する外形を有し、下方又は上方から見て背面側が幅広な略Ｔ字状に形成されている。
【００７８】
図２５は、支持部材８６を背面側上方から見た斜視図であり、図２６は、支持部材８６を前面側下方から見た斜視図である。
支持部材８６は、図２５及び図２６に示すように、起立部８６１、突出部８６２、孔部８６３、係止部８６４、突出部８６５及び挿入口８６６を有する。
起立部８６１は、上記カバー部材８３のカバー本体８４における起立部８４１と同様に、支持部材８６における背面側の端縁に沿って当該支持部材８６の上面８６Ａから起立している。この起立部８６１の上端縁における左右方向の中央には、上方に開口する凹部８６１１が形成されている。この凹部８６１１は、支持部材８６が取付部位２１Ａに取り付けられた際に、当該取付部位２１Ａとともに、装着部２１６における第１挿入口としての挿入口２１７を形成する。すなわち、挿入口２１７は、上端縁が取付部位２１Ａによって形成され、下端縁が当該凹部８６１１によって形成される。なお、凹部８６１１における底面は、上面８６Ａと連続しており、当該凹部８６１１の底面の上面８６Ａからの高さ寸法は０である。
【００７９】
突出部８６２は、上面８６Ａにおける前面側の端部における左右の両端にて、上方に向けて突設されている。これら突出部８６２の上面８６Ａからの突出寸法は、上記起立部８６１の上面８６Ａからの起立寸法と略一致する。このような突出部８６２は、支持部材８６が取付部位２１Ａに取り付けられた際に、起立部８６１とともに当該取付部位２１Ａに当接する。
孔部８６３（８６３１〜８６３３）は、支持部材８６が取付部位２１Ａに取り付けられる際に、当該取付部位２１Ａに形成されたねじ孔２１Ａ１〜２１Ａ３に螺合するねじ（図示省略）が挿通する孔部である。本実施形態では、支持部材８６は、３つの孔部８６３を有する。これら３つの孔部８６３のうち、２つの孔部８６３１，８６３２は、支持部材８６の背面側端部近傍における左右の両端近傍の位置にそれぞれ形成され、１つの孔部８６３３は、支持部材８６の前面側端部において２つの突出部８６２に挟まれる位置に形成されている。
【００８０】
係止部８６４は、挿入口２１７に挿入された上記クリングス５１の挿入部５１１を係止する。この係止部８６４は、上面８６Ａの略中央に位置し、当該上面８６Ａから側面視山型形状に突出している。詳述すると、係止部８６４は、前面に向かうに従って上面８６Ａからの突出寸法が大きくなり、当該上面８６Ａから最も突出した部位から前面に向かうに従って突出寸法が小さくなる形状に形成されている。換言すると、係止部８６４は、前面側に向かうに従って上面８６Ａから離間する方向に傾斜する傾斜面８６４１と、当該上面８６Ａから最も突出した部位から前面に向かうに従って上面８６Ａに近接する方向に傾斜する傾斜面８６４２と、を有する。そして、係止部８６４は、上面８６Ａと取付部位２１Ａとの間に形成される隙間に挿入された挿入部５１１を係止して、当該挿入部５１１の挿入口２１７からの抜けを抑制する。
【００８１】
突出部８６５は、上面８６Ａにおいて係止部８６４に対する凹部８６１１側、すなわち、−Ｚ方向側に位置する。この突出部８６５は、係止部８６４と同様の側面視山型形状に形成されているが、当該係止部８６４より小さく形成されている。この突出部８６５は、挿入口２１７に挿入されて上面８６Ａに沿って前面側（＋Ｚ方向側）に移動される上記対象挿入部を傾斜面８６４１に導く。
挿入口８６６は、係止部８６４と孔部８６３３との間に、略矩形状に形成されている。この挿入口８６６は、第２装着部材としての遮蔽部材７Ａの後述する挿入部７５Ａが挿入される本発明の第２挿入口である。
【００８２】
［遮蔽部材の構成］
図２７は、遮蔽部材７Ａを背面側下方から見た斜視図である。
遮蔽部材７Ａは、第２装着部材の１つである。この遮蔽部材７Ａは、図２２に示すように、導光部材３２Ｒ，３２Ｌを前面側にて覆うように配置されて、当該導光部材３２Ｒ，３２Ｌに入射される光の透過率を低減させ、これにより、外界を見づらくして、表示される画像の視認性を向上させるものである。
このような遮蔽部材７Ａは、上記遮蔽部材７と同様に、遮光部７１を有する他、図２７に示すように、当接部７２Ａ、規制部７３Ａ、突出部７４Ａ及び挿入部７５Ａを有する。
【００８３】
当接部７２Ａは、遮光部７１の背面７１Ｂに複数突設されている。具体的に、当接部７２Ａは、背面７１Ｂにおける右側（＋Ｘ方向側）の端部における上端近傍及び下端近傍のそれぞれの位置、並びに、左側（−Ｘ方向側）の端部における上端近傍及び下端近傍のそれぞれの部位に、それぞれ円筒状に形成されている。これら当接部７２Ａは、遮蔽部材７Ａが装置本体１０（装着部２１６）に装着された際に、導光部材３２Ｒにおける右側端部近傍の部位、及び、導光部材３２Ｌにおける左側端部近傍の部位に、それぞれ当接する。
なお、これら当接部７２Ａが左右の両端に設けられる遮光部７１は、導光部材３２Ｒ，３２Ｌの前面に沿った湾曲形状に形成されている。しかしながら、当該遮光部７１の曲率は、導光部材３２Ｒ，３２Ｌにおける前面の曲率より大きい。このため、遮蔽部材７Ａが装着部２１６に取り付けられた際には、これら当接部７２Ａが導光部材３２Ｒ，３２Ｌに対して−Ｚ方向側（当該導光部材３２Ｒ，３２Ｌによる画像光の出射方向側）への付勢力を作用させる。
このような当接部７２Ａは、遮光部７１における左右の両端部近傍に、それぞれ２つずつ配置された。しかしながら、これに限らず、当接部７２Ａの数及び形状は、適宜変更可能である。
【００８４】
規制部７３Ａは、背面７１Ｂにおける右側の端部近傍で、かつ、下端近傍の部位、及び、左側の端部近傍で、かつ、下端近傍の部位に、横長の略直方体形状に形成されている。これら規制部７３Ａは、遮蔽部材７Ａが装置本体１０（装着部２１６）に装着された後に、当該遮蔽部材７Ａが＋Ｚ方向に沿う軸を中心として回動しようとした際に、導光部材３２Ｒ，３２Ｌの下端面に当接して、当該遮蔽部材７Ａの回動を規制する。
【００８５】
突出部７４Ａは、背面７１Ｂにおける中央に位置し、当該背面７１Ｂから装置本体１０側（−Ｚ方向側）に突出している。この突出部７４Ａには、孔部７４Ａ１が形成されている。この孔部７４Ａ１は、上記孔部８６３３を挿通して上記取付部位２１Ａのねじ孔２１Ａ３に固定されるねじが下方から挿通する孔部である。
【００８６】
挿入部７５Ａは、本発明の第２挿入部に相当し、上記一対の挿入部７２と同様に、装着部２１６を構成する支持部材８６の挿入口８６６に下方から挿入されて、遮蔽部材７Ａを当該装着部２１６に係止する部位である。この挿入部７５Ａは、隙間ＧＰ４を介して、遮光部７１の背面７１Ｂに沿うように上方（＋Ｙ方向側）に起立している。このような挿入部７５Ａの上端部には、左右方向（±Ｘ方向）に突出した突出部７５Ａ１が形成されており、これにより、挿入部７５Ａは、背面側から見て略Ｔ字状に形成されている。そして、挿入部７５Ａにおける左右方向の寸法は、上記挿入口８６６における左右方向の内側寸法より大きい。このため、挿入部７５Ａが挿入口８６６に挿入された場合には、当該突出部７５Ａ１が支持部材８６の上面８６Ａに当接し、これにより、当該挿入口８６６からの挿入部７５Ａの抜けが抑制される。
【００８７】
［装着部へのノーズパッドの装着］
図２８は、ノーズパッド５及び遮蔽部材７Ａが装着部２１６に装着されたＨＭＤ１ＡのＹＺ平面における断面図であり、詳述すると、遮蔽部材７Ａの上記挿入部７５Ａを通るＹＺ平面における断面図である。
以下、装着部２１６へのノーズパッド５及び遮蔽部材７Ａの装着について、図２８を参照しつつ説明する。
ノーズパッド５を装着部２１６に装着する場合、上記ＨＭＤ１での場合と同様に、クリングス５１の挿入部５１１を挿入口２１７に背面側（−Ｚ方向側）から前方（＋Ｚ方向）に挿入する。このように挿入されると、当該挿入部５１１の棒状部５１１１が、係止部８６４を乗り越えて、当該係止部８６４より更に前方側（挿入口２１７の奥側）に配置される。この係止部８６４により、棒状部５１１１の背面側（−Ｚ方向）への動きが規制されることから、挿入部５１１、ひいては、ノーズパッド５の挿入口２１７からの抜けが抑制される。なお、ノーズパッド５を背面側に強く引くことにより、係止部８６４により挿入部５１１（棒状部５１１１）の係止が解除され、当該ノーズパッド５を装着部２１６から取り外すことができる。
一方、挿入部５１１の更に前方への移動は、腕部５１２Ｌ，５１２Ｒが、挿入口２１７の周縁に当接することにより規制される。また、挿入部５１１の上下方向への揺動は、上記ＨＭＤ１の場合と同様に、挿入口２１７の端縁と延出部５１１２Ｌ，５１１２Ｒとが当接することにより規制される。
これにより、ノーズパッド５を装着部２１６に安定して装着できる。
【００８８】
［装着部への遮蔽部材の装着］
遮蔽部材７Ａを装着部２１６に装着する場合、上記ＨＭＤ１での場合と同様に、挿入部７５Ａを第２挿入口としての挿入口８６６に下方から挿入する。これにより、当該挿入部７５Ａに形成された突出部７５Ａ１が、挿入口８６６の端縁より外側に広がるため、当該挿入部７５Ａ、ひいては、遮蔽部材７Ａの装着部２１６からの抜けが抑制される。
【００８９】
ここで、上記のように、遮光部７１の曲率は、当該遮光部７１により覆われる導光部材３２Ｒ，３２Ｌの前面の曲率より大きい。このため、上記挿入部７５Ａが挿入口８６６に挿入されて、上記当接部７２Ａが導光部材３２Ｒ，３２Ｌにおいて互いに反対側の端部に当接した際に、遮光部７１が撓んで導光部材３２Ｒ，３２Ｌの前面に沿うように変形することにより、各当接部７２Ａが背面側（−Ｚ方向側）への付勢力を当該各当接部７２Ａによる当接部位に作用させる。
このため、遮蔽部材７Ａは、導光部材３２Ｒ，３２Ｌの前面に当接する上記当接部７２Ａと、挿入部７５Ａとにより、装置本体１０（フレーム本体２１及び当該フレーム本体２１によって支持される導光部材３２Ｌ，３２Ｒ）を挟持する。
このように配置された遮蔽部材７Ａにおける孔部７４Ａ１にねじ（図示省略）を挿入し、当該ねじを孔部８６３３を挿通させた後、取付部位２１Ａのねじ孔２１Ａ３に固定することにより、遮蔽部材７Ａは、装置本体１０に安定して固定される。
【００９０】
以上説明した本実施形態に係るＨＭＤ１Ａによれば、上記ＨＭＤ１と同様の効果を奏することができる。
なお、遮蔽部材７Ａによって作用する付勢力は、前面側（＋Ｚ方向側）への付勢力であってもよい。例えば、挿入部７５Ａが、突出部７４Ａから起立するに従って背面７１Ｂに近接する方向に傾斜し、当該挿入部７５Ａの先端部が、フレーム２（例えば、上記取付部２１Ａ４における背面側の端面）に当接して、当該端面に前面側への付勢力を作用させる構成としてもよい。この場合、遮光部７１の曲率は、当該遮光部７１により覆われる導光部材３２Ｒ，３２Ｌの前面の曲率より大きくなくてもよく、例えば、遮光部７１の曲率が当該前面の略曲率と同じであってもよい。
【００９１】
［実施形態の変形］
本発明は、上記各実施形態に限定されるものではなく、本発明の目的を達成できる範囲での変形、改良等は本発明に含まれるものである。
上記各実施形態では、第１装着部材としてのノーズパッド５及びレンズホルダー６のうち、一方の部材の挿入部が挿入口２１４，２１７に挿入され、ひいては、当該一方の部材が装着部２１３に装着されるとした。すなわち、ノーズパッド５及びレンズホルダー６のうち、一方が装着部２１３，２１６に装着される場合には、他方は利用できないとした。しかしながら、これに限らず、複数の第１装着部材を同時に利用可能に構成してもよい。この場合、例えば、レンズホルダー６が腕部６４Ｒ，６４Ｌ、固定部６５Ｒ，６５Ｌ及びパッド５２Ｒ，５２Ｌを備えない構成である場合に、略Ｕ字状に形成された挿入部５１１の内側に、当該レンズホルダー６の挿入部６３を挿入し、棒状部５１１１及び鉤状部６３１が凹部８２２１内に位置させたり、これらを係止部８６４が係止したりすることによって、これらノーズパッド５及びレンズホルダー６を同時に利用可能としてもよい。これらノーズパッド５及びレンズホルダー６に限らず、他の装着部材にこのような構成を採用してもよい。第２装着部材についても同様である。
【００９２】
上記各実施形態では、第１装着部材としてノーズパッド５及びレンズホルダー６を挙げ、第２装着部材として遮蔽部材７を例示した。しかしながら、これに限らず、装置本体１０に装着可能な部材であれば、他の装着部材を用いてもよい。
【００９３】
上記第１実施形態では、固定部材８１及び挟持部材８２は、挿入部５１１，６３を上下方向において挟持するとした。すなわち、固定部材８１の延出部８１５２は、挿入口２１４に挿入された挿入部５１１，６３の上側に位置し、挟持部材８２の延出部８２２は、当該挿入部５１１，６３の下側に位置し、これら延出部８１５２，８２２によって挿入部５１１，６３は挟持されるとした。しかしながら、これに限らず、固定部材８１及び挟持部材８２によって第１装着部材の対象挿入部が左右方向において挟持されてもよい。上記第２実施形態における係止部８６４による対象挿入部の係止の方向も同様である。例えば、係止部８６４と同様の機能を有する部位が、取付部位２１Ａに設けられていてもよい。
【００９４】
上記第１実施形態では、装着部２１３は、カバー部材８３を有し、当該カバー部材８３によって固定部材８１及び挟持部材８２が覆われるとした。しかしながら、これに限らず、カバー部材８３は無くてもよい。この場合、固定部材８１と挟持部材８２との間の隙間部分が、第１装着部材の挿入部を挿入可能な挿入口となる。
また、カバー部材８３は、カバー本体８４及びスライド部材８５を有するとした。しかしながら、これに限らず、カバー部材は、上記支持部材８６のように、カバー本体８４とスライド部材８５とが一体化された一体品であってもよい。この場合、遮蔽部材７が別の構造によって装置本体１０に装着されてもよく、遮蔽部材７は利用できない構成であってもよい。
【００９５】
上記第１実施形態では、挟持部材８２は、固定部材８１を取付部位２１Ａに固定するねじによって、固定部材８１を挟むように取付部位２１Ａに固定されるとした。しかしながら、これに限らず、挟持部材８２は、固定部材８１とは別に取付部位２１Ａに固定されてもよく、固定部材８１に固定されてもよい。
また、挟持部材８２は、挿入口２１４への挿入部５１１，６３の挿入方向に沿って配列された複数の凹部８２２１を有するとした。しかしながら、これに限らず、このような凹部８２２１はなくてもよい。また、当該複数の凹部８２２１の形状は、波状でなくてもよく、鋸歯状でもよい。すなわち、挿入部５１１，６３に上記挿入方向に直交する方向に突出する上記係止部８６４のような突出部が設けられ、当該突出部が挿入される部位が延出部８２２に設けられていれば、挿入部５１１，６３の挿入口２１４からの抜けを防止できる。逆に言うと、支持部材８６が係止部８６４を複数有していてもよい。
【００９６】
一方、挿入部５１１は、略Ｕ字状に形成され、当該略Ｕ字状の底部に位置する１つの棒状部５１１１と、当該１つの棒状部５１１１の両端から背面側に延出する延出部５１１２Ｌ，５１１２Ｒと、を有する構成とした。しかしながら、これに限らず、延出部５１１２Ｌ，５１１２Ｒ間を接続し、かつ、規制部として機能する棒状部５１１１は、複数設けられていてもよい。例えば、上記略Ｕ字状の底部に位置する棒状部５１１１に加えて、当該棒状部５１１１より背面側に位置する他の棒状部を有し、当該他の棒状部が、棒状部５１１１が嵌まり込む凹部８２２１とは異なる凹部８２２１に嵌まり込む構成としてもよい。
他の第１装着部材としてのレンズホルダー６においても同様に、挿入部６３において規制部として機能する鉤状部６３１に加えて、当該鉤状部６３１より背面側に位置して、当該鉤状部６３１が嵌まり込む凹部８２２１とは異なる凹部８２２１に嵌まり込む他の鉤状部を少なくとも１つ有していてもよい。
また、規制部として機能する棒状部５１１１を有する挿入部５１１の形状、及び、規制部として機能する鉤状部６３１を有する挿入部６３の形状は、適宜変更可能である。
更に、係止部８６４と突出部８６５との間に、上記他の棒状部や他の鉤状部が嵌まり込む構成としてもよい。
【００９７】
上記各実施形態では、第１装着部材としてのノーズパッド５及びレンズホルダー６の挿入部５１１，６３は、挿入口２１４に背面側から挿入されるとした。しかしながら、これに限らず、挿入口が前面側に開口し、第１装着部材の挿入部が前面側から当該挿入口に挿入されてもよい。例えば、挿入部がＵ字状に形成され、Ｕ字状の一端が前面側から挿入口に挿入されることによって、第１装着部材が装着部に装着されてもよい。
【００９８】
上記各実施形態では、第２装着部材としての遮蔽部材７，７Ａの挿入部７２，７５Ａは、挿入部５１１，６３の挿入口２１４，２１７への挿入方向に対する直交方向である下方側から上方に向けて挿入口２１５，８６６に挿入されるとした。しかしながら、これに限らず、挿入口が上方に開口している場合には、第２装着部材の挿入部は、上方から下方に向けて当該挿入口に挿入されてもよい。また、挿入部５１１，６３の挿入口２１４，２１７への挿入方向と、挿入部７２，７５Ａの挿入口２１５，８６６への挿入方向とは、必ずしも直交していなくてもよい。例えば、これらの挿入方向が直角でない角度で交差していてもよい。更には、これら挿入方向が平行でもよい。例えば、挿入部５１１，６３の挿入口への挿入方向が＋Ｚ方向に沿う方向であり、挿入部７２，７５Ａの挿入口への挿入方向が−Ｚ方向に沿う方向であってもよい。
【００９９】
上記各実施形態では、装着部２１３，２１６において、挿入口２１４，２１７は−Ｚ方向側に位置し、挿入口２１５，８６６は＋Ｚ方向側に位置しているとした。しかしながら、これに限らず、各挿入口の装着部２１３，２１６における配置は、適宜変更可能である。例えば、各挿入口が−Ｚ方向側に位置していて−Ｚ方向側に開口していてもよく、＋Ｚ方向側に位置していて＋Ｚ方向側に開口していてもよい。
【０１００】
上記各実施形態では、ＨＭＤ１は、右側に配置されて右眼用画像をユーザーの右眼に導く光学装置３Ｒと、左側に配置されて左眼用画像をユーザーの左眼に導く光学装置３Ｌと、を備えるとした。しかしながら、これに限らず、光学装置３Ｒ，３Ｌのうち、一方のみを備えるＨＭＤに、本発明を適用することも可能である。
上記各実施形態では、光学装置３Ｒ，３Ｌは、画像を形成及び投射する光学ユニット３１と、投射された画像をユーザーの眼に導く導光部材３２と、を有し、当該導光部材３２は、外光を透過可能に構成されているとした。すなわち、ＨＭＤ１は、シースルー型の頭部装着型画像表示装置として構成した。しかしながら、これに限らず、光学装置として、ユーザーの眼に応じて配置される表示パネルを有するＨＭＤに本発明を適用することも可能であり、また、シースルー型でないＨＭＤに本発明を適用することも可能である。
【符号の説明】
【０１０１】
１，１Ａ…ＨＭＤ（頭部装着型画像表示装置）、１０…装置本体、２…フレーム、２１３，２１６…装着部、２１４，２１７…挿入口（第１挿入口）、２１５，８６６…挿入口（第２挿入口）、２２（２２Ｌ，２２Ｒ）…カバー部材、３２（３２Ｌ，３２Ｒ）…導光部材（表示部）、５…ノーズパッド（第１装着部材）、５１，５１Ａ〜５１Ｃ…クリングス、５１１…挿入部（第１挿入部）、５１１１…棒状部（規制部）、５１１２Ｌ，５１１２Ｒ…延出部、５１２Ｌ，５１２Ｒ…腕部、５１３Ｌ，５１３Ｒ…固定部、５２（５２Ｌ，５２Ｒ）…パッド、６…レンズホルダー（第１装着部材）、６３…挿入部（第１挿入部）、６３１…鉤状部（規制部）、７，７Ａ…遮蔽部材（第２装着部材）、７１…遮光部、７２，７５Ａ…挿入部（第２挿入部）、８１…固定部材、８１５…挟持部、８１５２…延出部、８２…挟持部材、８２２…延出部、８２２１…凹部、８３…カバー部材、８４…カバー本体、８５…スライド部材、ＧＰ２…隙間。
【図１】
2017147522.tif 000003
【図２】
2017147522.tif 000004
【図３】
2017147522.tif 000005
【図４】
2017147522.tif 000006
【図５】
2017147522.tif 000007
【図６】
2017147522.tif 000008
【図７】
2017147522.tif 000009
【図８】
2017147522.tif 000010
【図９】
2017147522.tif 000011
【図１０】
2017147522.tif 000012
【図１１】
2017147522.tif 000013
【図１２】
2017147522.tif 000014
【図１３】
2017147522.tif 000015
【図１４】
2017147522.tif 000016
【図１５】
2017147522.tif 000017
【図１６】
2017147522.tif 000018
【図１７】
2017147522.tif 000019
【図１８】
2017147522.tif 000020
【図１９】
2017147522.tif 000021
【図２０】
2017147522.tif 000022
【図２１】
2017147522.tif 000023
【図２２】
2017147522.tif 000024
【図２３】
2017147522.tif 000025
【図２４】
2017147522.tif 000026
【図２５】
2017147522.tif 000027
【図２６】
2017147522.tif 000028
【図２７】
2017147522.tif 000029
【図２８】
2017147522.tif 000030